(57)【特許請求の範囲】
【請求項１】
無線伝送方式としてＯＦＤＭを用いる基地局と移動局から構成され、基地局あたり最大Ｍ（Ｍは自然数）台の移動局が１ＯＦＤＭシンボル時間内に同時に通信を行う無線伝送システムにおいて、
前記基地局が、第ｉ（ｉ＝１，２，・・・，Ｍ）の移動局に対してパイロット信号を送信する際に使用すべき第ｉの周波数チャネルを割り当てる周波数チャネル割当手段と、
前記第ｉの周波数チャネルを表す第ｉの周波数チャネル信号を前記第ｉの移動局に送信する周波数チャネル信号送信手段と、を備え、
前記第ｉの移動局が、前記第ｉの周波数チャネル信号を受信し、前記パイロット信号を送信する際に使用すべき第ｉの周波数チャネルを特定する周波数チャネル特定手段と、
特定した前記第ｉの周波数チャネルに既知のパイロット信号を多重し、第ｉのパイロット多重信号を生成するパイロット信号多重手段と、
前記第ｉのパイロット多重信号を逆フーリエ変換することにより時間軸上の信号に変換し、当該逆フーリエ変換後の信号にガードインターバルを付加して第ｉの送信信号を生成する送信信号生成手段と、を備え、
前記基地局が、さらに、前記第ｉの送信信号を受信して得た受信信号から、ガードインターバルを削除し、ガードインターバル削除後の信号をフーリエ変換することによって、周波数軸上に変換した信号を変換信号として生成する信号変換手段と、
前記変換信号から前記第ｉの周波数チャネルに対応するサブキャリア成分を取り出すことで、前記第ｉの移動局が送信した信号のみからなる第ｉの移動局分離信号を生成する移動局信号分離手段と、
前記第ｉの移動局分離信号から第ｉの遅延プロファイルを生成する遅延プロファイル生成手段とを備えることを特徴とする無線伝送システム。
【請求項２】
前記遅延プロファイル生成手段が、前記第ｉの移動局分離信号を逆フーリエ変換し、前記第ｉの遅延プロファイルを生成する手段を含むことを特徴とする請求項１に記載の無線伝送システム。
【請求項３】
前記第ｉの周波数チャネルが、第１〜Ｎ（Ｎ：Ｍの倍数）のＮ個のサブキャリアから選択されたＮ／Ｍ個のサブキャリアによって構成されており、
前記遅延プロファイル生成手段が、前記第ｉの移動局分離信号を同一のサブキャリア成分毎に平均し、前記第１〜Ｎのサブキャリア成分から成る第ｉの平均信号を生成する手段と、前記第ｉの平均信号を逆フーリエ変換することで、第ｉの遅延プロファイルを生成する手段とを含むことを特徴とする請求項１に記載の無線伝送システム。
【請求項４】
前記第ｉの周波数チャネルが、第１〜Ｎ（Ｎ：Ｍの倍数）のＮ個のサブキャリアから選択されたＮ／Ｍ個のサブキャリアによって構成されており、
前記遅延プロファイル生成手段が、前記第ｉの移動局分離信号を用いて、前記第ｉの周波数チャネルに対応するサブキャリアの間のサブキャリア成分を補間することで第ｉの補間信号を生成する手段と、前記第ｉの補間信号を逆フーリエ変換することで、第ｉの遅延プロファイルを生成する手段とを含むことを特徴とする請求項１に記載の無線伝送システム。
【請求項５】
前記第ｉの周波数チャネルが、第１〜Ｎ（Ｎ：Ｍの倍数）のＮ個のサブキャリアから選択されたＮ／Ｍ個のサブキャリアによって構成されており、
前記遅延プロファイル生成手段が、前記第ｉの移動局分離信号を同一のサブキャリア成分毎に平均し、前記第１〜Ｎのサブキャリア成分から成る第ｉの平均信号を生成する手段と、前記第ｉの平均信号の中で、前記第ｉの周波数チャネルに対応するサブキャリアの間のサブキャリア成分を補間することで第ｉの補間信号を生成する手段と、前記第ｉの補間信号を逆フーリエ変換することで、第ｉの遅延プロファイルを生成する手段とを含むことを特徴とする請求項１に記載の無線伝送システム。
【請求項６】
前記基地局が、前記第ｉの周波数チャネルを、第１〜Ｎ（Ｎ：Ｍの倍数）の合計Ｎ個のサブキャリアから構成される１ＯＦＤＭシンボル内の、第｛Ｎ／Ｍ＊（ｊ−１）＋１｝（ｊ：Ｍ以下の自然数であってｉと１対１に対応）からＮ／Ｍ＊ｊまでの連続する合計（Ｎ／Ｍ）個のサブキャリアから成る周波数チャネルとすることを特徴とする請求項１〜請求項５のいずれか一つに記載の無線伝送システム。
【請求項７】
前記基地局が、前記第ｉの周波数チャネルを、第１〜Ｎ（Ｎ：Ｍの倍数）の合計Ｎ個のサブキャリアから構成される１ＯＦＤＭシンボル内の、第｛ｊ＋Ｍ＊（ｘ−１）｝（ｊ：Ｍ以下の自然数であってｉと１対１に対応、ｘ：１，２，・・・，Ｎ／Ｍ）番に位置する合計（Ｎ／Ｍ）個のサブキャリアから成る周波数チャネルとすることを特徴とする請求項１〜請求項５のいずれか一つに記載の無線伝送システム。
【請求項８】
前記基地局が、前記第ｉの周波数チャネルを、第１〜Ｎ（Ｎ：Ｍの倍数）の合計Ｎ個のサブキャリアから構成される１ＯＦＤＭシンボル内の、他の周波数チャネルが使用するサブキャリアと重複しない条件で、ランダムに選択された合計（Ｎ／Ｍ）個のサブキャリアから成る周波数チャネルとすることを特徴とする請求項１〜請求項５のいずれか一つに記載の無線伝送システム。
【請求項９】
無線伝送方式としてＯＦＤＭを用い、最大Ｍ（Ｍは自然数）台の移動局と１ＯＦＤＭシンボル時間内に同時に通信を行う基地局装置において、
第ｉ（ｉ＝１，２，・・・，Ｍ）の移動局に対してパイロット信号を送信する際に使用すべき第ｉの周波数チャネルを割り当てる周波数チャネル割当手段と、
前記第ｉの周波数チャネルを表す第ｉの周波数チャネル信号を前記第ｉの移動局に送信する周波数チャネル信号送信手段と、
前記第ｉの移動局が前記第ｉの周波数チャネル信号に応じて送信した第ｉの送信信号を受信して得た受信信号から、ガードインターバルを削除し、ガードインターバル削除後の信号をフーリエ変換することによって、周波数軸上に変換した信号を変換信号として生成する信号変換手段と、
前記変換信号から前記第ｉの周波数チャネルに対応するサブキャリア成分を取り出すことで、前記第ｉの移動局が送信した信号のみからなる第ｉの移動局分離信号を生成する移動局信号分離手段と、
前記第ｉの移動局分離信号から第ｉの遅延プロファイルを生成する遅延プロファイル生成手段と、を含むことを特徴とする基地局装置。
【請求項１０】
前記遅延プロファイル生成手段が、前記第ｉの移動局分離信号を逆フーリエ変換し、前記第ｉの遅延プロファイルを生成する手段を含むことを特徴とする請求項９に記載の基地局装置。
【請求項１１】
前記第ｉの周波数チャネルが、第１〜Ｎ（Ｎ：Ｍの倍数）のＮ個のサブキャリアから選択されたＮ／Ｍ個のサブキャリアによって構成されており、
前記遅延プロファイル生成手段が、前記第ｉの移動局分離信号を同一のサブキャリア成分毎に平均し、前記第１〜Ｎ（Ｎ：Ｍの倍数）のサブキャリア成分から成る第ｉの平均信号を生成する手段と、前記第ｉの平均信号を逆フーリエ変換することで、第ｉの遅延プロファイルを生成する手段とを含むことを特徴とする請求項９に記載の基地局装置。
【請求項１２】
前記第ｉの周波数チャネルが、第１〜Ｎ（Ｎ：Ｍの倍数）のＮ個のサブキャリアから選択されたＮ／Ｍ個のサブキャリアによって構成されており、
前記遅延プロファイル生成手段が、前記第ｉの移動局分離信号を用いて、前記第ｉの周波数チャネルに対応するサブキャリアの間のサブキャリア成分を補間することで第ｉの補間信号を生成する手段と、前記第ｉの補間信号を逆フーリエ変換することで、第ｉの遅延プロファイルを生成する手段とを含むことを特徴とする請求項９に記載の基地局装置。
【請求項１３】
前記第ｉの周波数チャネルが、第１〜Ｎ（Ｎ：Ｍの倍数）のＮ個のサブキャリアから選択されたＮ／Ｍ個のサブキャリアによって構成されており、
前記遅延プロファイル生成手段が、前記第ｉの移動局分離信号を同一のサブキャリア成分毎に平均し、前記第１〜Ｎのサブキャリア成分から成る第ｉの平均信号を生成する手段と、前記第ｉの平均信号の中で、前記第ｉの周波数チャネルに対応するサブキャリアの間のサブキャリア成分を補間することで第ｉの補間信号を生成する手段と、前記第ｉの補間信号を逆フーリエ変換することで、第ｉの遅延プロファイルを生成する手段とを含むことを特徴とする請求項９に記載の基地局装置。
【請求項１４】
前記第ｉの周波数チャネルを、第１〜Ｎ（Ｎ：Ｍの倍数）の合計Ｎ個のサブキャリアから構成される１ＯＦＤＭシンボル内の、第｛Ｎ／Ｍ＊（ｊ−１）＋１｝（ｊ：Ｍ以下の自然数であってｉと１対１に対応）からＮ／Ｍ＊ｊまでの連続する合計（Ｎ／Ｍ）個のサブキャリアから成る周波数チャネルとすることを特徴とする請求項９〜請求項１３のいずれか一つに記載の基地局装置。
【請求項１５】
前記第ｉの周波数チャネルを、第１〜Ｎ（Ｎ：Ｍの倍数）の合計Ｎ個のサブキャリアから構成される１ＯＦＤＭシンボル内の、第｛ｊ＋Ｍ＊（ｘ−１）｝（ｊ：Ｍ以下の自然数であってｉと１対１に対応、ｘ：１，２，・・・，Ｎ／Ｍ）番に位置する合計（Ｎ／Ｍ）個のサブキャリアから成る周波数チャネルとすることを特徴とする請求項９〜請求項１３のいずれか一つに記載の基地局装置。
【請求項１６】
前記第ｉの周波数チャネルを、第１〜Ｎ（Ｎ：Ｍの倍数）の合計Ｎ個のサブキャリアから構成される１ＯＦＤＭシンボル内の、他の周波数チャネルが使用するサブキャリアと重複しない条件で、ランダムに選択された合計（Ｎ／Ｍ）個のサブキャリアから成る周波数チャネルとすることを特徴とする請求項９〜請求項１３のいずれか一つに記載の基地局装置。
【請求項１７】
無線伝送方式としてＯＦＤＭを用い、最大Ｍ（Ｍは自然数）台の移動局と１ＯＦＤＭシンボル時間内に同時に通信を行う基地局装置に、
第ｉ（ｉ＝１，２、・・・、Ｍ）の移動局に対してパイロット信号を送信する際に使用すべき第ｉの周波数チャネルを割り当てる周波数チャネル割当処理と、
前記第ｉの周波数チャネルを表す第ｉの周波数チャネル信号を前記第ｉの移動局に送信する周波数チャネル信号送信処理と、
前記第ｉの移動局が前記第ｉの周波数チャネル信号に応じて送信した第ｉの送信信号を受信して得た受信信号から、ガードインターバルを削除し、ガードインターバル削除後の信号をフーリエ変換することによって、周波数軸上に変換した信号を変換信号として生成する信号変換処理と、
前記変換信号から前記第ｉの周波数チャネルに対応するサブキャリア成分を取り出すことで、前記第ｉの移動局が送信した信号のみからなる第ｉの移動局分離信号を生成する移動局信号分離処理と、
前記第ｉの移動局分離信号を入力とし第ｉの遅延プロファイルを生成する遅延プロファイル生成処理と、
を実行させるための基地局装置用プログラム。
【請求項１８】
無線伝送方式としてＯＦＤＭを用い、最大Ｍ（Ｍは自然数）台の移動局と１ＯＦＤＭシンボル時間内に同時に通信を行う基地局装置が、第ｉ（ｉ＝１，２，・・・，Ｍ）の移動局から送信された第ｉの送信信号を受信して行う信号処理の開始タイミングを推定するタイミング推定方法において、
前記第ｉの移動局に対してパイロット信号を送信する際に使用すべき第ｉの周波数チャネルを割り当てるステップと、
前記第ｉの周波数チャネルを表す第ｉの周波数チャネル信号を前記第ｉの移動局に送信するステップと、
前記第ｉの移動局が前記第ｉの周波数チャネル信号に応じて送信した第ｉの送信信号を受信して得た受信信号から、ガードインターバルを削除し、ガードインターバル削除後の信号をフーリエ変換することによって、周波数軸上に変換した信号を変換信号として生成するステップと、
前記変換信号から前記第ｉの周波数チャネルに対応するサブキャリア成分を取り出すことで、前記第ｉの移動局が送信した信号のみからなる第ｉの移動局分離信号を生成するステップと、
前記第ｉの移動局分離信号を入力とし第ｉの遅延プロファイルを生成するステップと、
を含むことを特徴とするタイミング推定方法。
【発明の詳細な説明】
【技術分野】
【０００１】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の無線伝送システム及びそれに用いられる基地局装置に関し、特に、複数の移動局から送信された信号を同時に受信する基地局において、各移動局毎に信号処理タイミングを推定するタイミング推定方法に関する。
【背景技術】
【０００２】
従来のＯＦＭＤ方式の無線伝送システムでは、受信信号と、その受信信号を単位シンボル分遅延させた信号との相関を取ることにより、ＦＦＴ処理開始タイミングを検出するようにしている（例えば、特開２０００−２０１１３１号公報（文献１）参照）。
また、従来のＯＦＭＤ方式の無線伝送システムとして、受信信号をサブキャリア単位に分離し、各サブキャリアに対して受信信号と既知信号との相関を求め、サブキャリア毎の遅延プロファイルを求めることも行われている（例えば、特開２００３−１７４４２６号公報（文献２）参照）。
さらに、ＦＦＴウインドウ幅のような所定の期間内に、受信信号の遅延プロファイルを求めることも行われている（例えば、特開２００４−２８９４７５号公報（文献３）参照）。なお、この方法は、ＣＤＭＡ方式を採用するマルチキャリア伝送システム（例えば、特開２００１−１４８６４１号公報（文献４）または特開２００４−７３５３号公報（文献５）参照）において行われているように、単位時間ごとに受信信号を区切り、既知の信号との相関を求めることにより、単位時間ごとの遅延プロファイルを求めているものと思われる。
【発明の開示】
【発明が解決しようとする課題】
【０００３】
従来のＯＦＤＭ方式の無線伝送システムは、いずれも、単一の局から送信された送信信号を受信するように構成されており、複数の送信局（例えば、移動局）から送信された信号を受信局（例えば、基地局）で同時に受信するようには構成されていない。それゆえ、従来の無線伝送システムを用いて、複数の送信局から送信された信号を単一の受信局で同時に受信し、その遅延プロファイルを求めた場合には、求めた遅延プロファイルと各送信局から送信された信号との関係が不明であるという問題点がある。換言すると、従来の無線伝送システムには、各送信局から送信された信号の遅延プロファイルを独立に求めることができないという問題点がある。
また、文献１や文献３に記載された従来の無線伝送システムでは、複数の送信局から送信された信号にガードインターバルを超える遅延が生じたものがあると、それによって発生するシンボル間干渉が、遅延プロファイルの推定に影響を与え、その精度が大きく低下するという問題点もある。
そこで、本発明は、複数の送信局から送信された複数の送信信号を、受信局において同時に受信して得た受信信号から、各送信局からの送信された信号の遅延プロファイルを独立に求めることができる基地局装置及びそれを用いた無線伝送システムを提供することを目的とする。
また、本発明は、シンボル間干渉の影響を受けることなく、各送信局から送信された信号の遅延プロファイルを求めることができる基地局装置及びそれを用いた無線伝送システムを提供することを目的とする。
【課題を解決するための手段】
【０００４】
上記目的を達成するため、本発明は、ＯＦＤＭ方式により複数の移動局と同時に通信可能な基地局装置において、受信信号を前記複数の移動局に対応させて分離する分離部と、当該分離部で分離された信号の遅延プロファイルをそれぞれ求める複数の遅延プロファイル推定部とを備えることを特徴とする。
また、本発明は、無線伝送方式としてＯＦＤＭを用いる基地局と移動局から構成され、基地局あたり最大Ｍ（Ｍは自然数）台の移動局が１ＯＦＤＭシンボル時間内に同時に通信を行う無線伝送システムにおいて、前記基地局が、第ｉ（ｉ＝１、２…、Ｍ）の移動局に対してパイロット信号を送信する際に使用すべき第ｉの周波数チャネルを割り当てる周波数チャネル割当手段と、前記第ｉの周波数チャネルを表す第ｉの周波数チャネル信号を前記第ｉの移動局に送信する周波数チャネル信号送信手段とを備え、前記第ｉの移動局が、前記第ｉの周波数チャネル信号を受信し、前記パイロット信号を送信する際に使用すべき第ｉの周波数チャネルを特定する周波数チャネル特定手段と、特定した前記第ｉの周波数チャネルに既知のパイロット信号を多重し、第ｉのパイロット多重信号を生成するパイロット信号多重手段と、前記第ｉのパイロット多重信号を逆フーリエ変換することにより時間軸上の信号に変換し、当該逆フーリエ変換後の信号にガードインターバルを付加して第ｉの送信信号を生成する送信信号生成手段とを備え、前記基地局が、さらに、前記第ｉの送信信号を受信して得た受信信号から、ガードインターバルを削除し、ガードインターバル削除後の信号をフーリエ変換することによって、周波数軸上に変換した信号を変換信号として生成する信号変換手段と、前記変換信号から前記第ｉの周波数チャネルに対応するサブキャリア成分を取り出すことで、前記第ｉの移動局が送信した信号のみからなる第ｉの移動局分離信号を生成する移動局信号分離手段と、前記第ｉの移動局分離信号から第ｉの遅延プロファイルを生成する遅延プロファイル生成手段とを備えることを特徴とする。
ここで、前記遅延プロファイル生成手段としては、前記第ｉの移動局分離信号を逆フーリエ変換し、第ｉの遅延プロファイルを生成する手段により構成される。また、前記遅延プロファイル生成手段は、前記第ｉの周波数チャネルが、第１〜Ｎ（Ｎ：Ｍの倍数）のＮ個のサブキャリアから選択されたＮ／Ｍ個のサブキャリアによって構成されているとして、前記第ｉの移動局分離信号を同一のサブキャリア成分毎に平均し、前記第１〜Ｎのサブキャリア成分から成る第ｉの平均信号を生成する手段と、前記第ｉの平均信号を逆フーリエ変換することで、第ｉの遅延プロファイルを生成する手段とにより構成されてもよい。あるいは、前記遅延プロファイル生成手段は、前記第ｉの移動局分離信号を用いて、前記第ｉの周波数チャネルに対応するサブキャリアの間のサブキャリア成分を補間することで第ｉの補間信号を生成する手段と、前記第ｉの補間信号を逆フーリエ変換することで、第ｉの遅延プロファイルを生成する手段とにより構成されてもよい。さらに、遅延プロファイル生成手段は、前記第ｉの移動局分離信号を同一のサブキャリア成分毎に平均し、前記第１〜Ｎのサブキャリア成分から成る第ｉの平均信号を生成する手段と、前記第ｉの平均信号の中で、前記第ｉの周波数チャネルに対応するサブキャリアの間のサブキャリア成分を補間することで第ｉの補間信号を生成する手段と、前記第ｉの補間信号を逆フーリエ変換することで、第ｉの遅延プロファイルを生成する手段とから構成されてもよい。
また、前記周波数チャネルとしては、第１〜Ｎの合計Ｎ個のサブキャリアから構成される１ＯＦＤＭシンボル内の、第｛Ｎ／Ｍ＊（ｊ−１）＋１｝（ｊ：Ｍ以下の自然数であってｉと１対１に対応）からＮ／Ｍ＊ｊまでの連続する合計（Ｎ／Ｍ）個のサブキャリアから成る周波数チャネルが利用できる。また、１ＯＦＤＭシンボル内の合計Ｎ個のサブキャリアの中で、第｛ｊ＋Ｍ＊（ｘ−１）｝（ｘ＝１、２、…、Ｎ／Ｍ）（ｊ：Ｍ以下の自然数であってｉと１対１に対応、ｘ：１，２，・・・，Ｎ／Ｍ）番に位置する合計（Ｎ／Ｍ）個のサブキャリアから成る周波数チャネルが利用できる。あるいは、１ＯＦＤＭシンボル内の合計Ｎ個のサブキャリアの中で、他の周波数チャネルが使用するサブキャリアと重複しない条件で、ランダムに選択された合計（Ｎ／Ｍ）個のサブキャリアが利用できる。
また、本発明は、無線伝送方式としてＯＦＤＭを用い、最大Ｍ（Ｍは自然数）台の移動局と１ＯＦＤＭシンボル時間内に同時に通信を行う基地局装置において、第ｉ（ｉ＝１，２，・・・，Ｍ）の移動局に対してパイロット信号を送信する際に使用すべき第ｉの周波数チャネルを割り当てる周波数チャネル割当手段と、前記第ｉの周波数チャネルを表す第ｉの周波数チャネル信号を前記第ｉの移動局に送信する周波数チャネル信号送信手段と、前記第ｉの移動局が前記第ｉの周波数チャネル信号に応じて送信した第ｉの送信信号を受信して得た受信信号から、ガードインターバルを削除し、ガードインターバル削除後の信号をフーリエ変換することによって、周波数軸上に変換した信号を変換信号として生成する信号変換手段と、前記変換信号から前記第ｉの周波数チャネルに対応するサブキャリア成分を取り出すことで、前記第ｉの移動局が送信した信号のみからなる第ｉの移動局分離信号を生成する移動局信号分離手段と、前記第ｉの移動局分離信号から第ｉの遅延プロファイルを生成する遅延プロファイル生成手段と、を含むことを特徴とする。
さらに本発明は、無線伝送方式としてＯＦＤＭを用い、最大Ｍ（Ｍは自然数）台の移動局と１ＯＦＤＭシンボル時間内に同時に通信を行う基地局装置に用いられる基地局装置用プログラムにおいて、第ｉ（ｉ＝１，２、・・・、Ｍ）の移動局に対してパイロット信号を送信する際に使用すべき第ｉの周波数チャネルを割り当てる周波数チャネル割当処理と、前記第ｉの周波数チャネルを表す第ｉの周波数チャネル信号を前記第ｉの移動局に送信する周波数チャネル信号送信処理と、前記第ｉの移動局が前記第ｉの周波数チャネル信号に応じて送信した第ｉの送信信号を受信して得た受信信号から、ガードインターバルを削除し、ガードインターバル削除後の信号をフーリエ変換することによって、周波数軸上に変換した信号を変換信号として生成する信号変換処理と、前記変換信号から前記第ｉの周波数チャネルに対応するサブキャリア成分を取り出すことで、前記第ｉの移動局が送信した信号のみからなる第ｉの移動局分離信号を生成する移動局信号分離処理と、前記第ｉの移動局分離信号を入力とし第ｉの遅延プロファイルを生成する遅延プロファイル生成処理と、を実行させることを特徴とする。
さらにまた、本発明は、無線伝送方式としてＯＦＤＭを用い、最大Ｍ（Ｍは自然数）台の移動局と１ＯＦＤＭシンボル時間内に同時に通信を行う基地局装置が、第ｉ（ｉ＝１，２，・・・，Ｍ）の移動局から送信された第ｉの送信信号を受信して行う信号処理の開始タイミングを推定するタイミング推定方法において、前記第ｉの移動局に対してパイロット信号を送信する際に使用すべき第ｉの周波数チャネルを割り当てるステップと、前記第ｉの周波数チャネルを表す第ｉの周波数チャネル信号を前記第ｉの移動局に送信するステップと、前記第ｉの移動局が前記第ｉの周波数チャネル信号に応じて送信した第ｉの送信信号を受信して得た受信信号から、ガードインターバルを削除し、ガードインターバル削除後の信号をフーリエ変換することによって、周波数軸上に変換した信号を変換信号として生成するステップと、前記変換信号から前記第ｉの周波数チャネルに対応するサブキャリア成分を取り出すことで、前記第ｉの移動局が送信した信号のみからなる第ｉの移動局分離信号を生成するステップと、前記第ｉの移動局分離信号を入力とし第ｉの遅延プロファイルを生成するステップと、を含むことを特徴とする。
【発明の効果】
【０００５】
本発明によれば、基地局が１ＯＦＤＭシンボル時間内に受信した複数の移動局からの信号を、各移動局が使用する周波数チャネルに従って分離し、分離された信号の遅延プロファイルをそれぞれ推定するようにしたことで、各移動局からの送信信号の遅延プロファイルを独立に推定することができる。また、各移動局からの信号を分離するようにしたことで、ある移動局からの送信信号にガードインターバルを超える遅延が生じていても、他の移動局からの送信信号の遅延プロファイルの推定にはその影響がないので、その遅延プロファイルの推定を高精度で行うことができる。
【図面の簡単な説明】
【０００６】
図１は、本発明の第１の実施の形態に係る無線伝送システムの基地局装置の構成を示すブロック図である。
図２は、本発明の第１の実施の形態に係る無線伝送システムの移動局装置の構成を示すブロック図である。
図３は、図１の基地局装置に含まれる遅延プロファイル推定回路の内部構成を示すブロック図である。
図４は、周波数チャネルの構成（配置）の一例を示す図である。
図５は、遅延プロファイル推定回路に入力される移動局分離信号のサブキャリア成分レベルの一例を示す図である。
図６は、本発明の第２の実施の形態に係る無線伝送システムに用いられる遅延プロファイル推定回路の内部構成を示すブロック図である。
図７は、本発明の第２の実施の形態に係る無線伝送システムに利用可能な周波数チャネルの構成（配置）の一例を示す図である。
図８は、図６の遅延プロファイル推定回路に入力される移動局分離信号のサブキャリア成分レベルの第１の例を示す図である。
図９は、図６の遅延プロファイル推定回路に入力される移動局分離信号のサブキャリア成分レベルの第２の例を示す図である。
図１０は、図８の移動局分離信号と図９の移動局分離信号とを合成して得られる合成信号のサブキャリア成分レベルを示す図である。
図１１は、図６の遅延プロファイル推定回路に入力される移動局分離信号のサブキャリア成分レベルの第３の例を示す図である。
図１２は、図８の移動局分離信号と図１１の移動局分離信号とを合成して得られる合成信号のサブキャリア成分レベルを示す図である。
図１３は、本発明の第３の実施の形態に係る無線伝送システムに用いられる遅延プロファイル推定回路の内部構成を示すブロック図である。
図１４は、図１３の遅延プロファイル推定回路に含まれる補間部の動作を説明するための図である。
図１５は、本発明の第４の実施の形態に係る無線伝送システムに用いられる遅延プロファイル推定回路の内部構成を示すブロック図である。
図１６は、本発明の第４の実施の形態に係る無線伝送システムに利用可能な周波数チャネル配置の第１の例を示す図である。
図１７は、本発明の第４の実施の形態に係る無線伝送システムに利用可能な周波数チャネル配置の第２の例を示す図である。
図１８は、図１６の周波数チャネル配置のときの周波数チャネルＣＨ（１）による移動局分離信号のサブチャネル成分レベルを示す図である。
図１９は、図１７の周波数チャネル配置のときの周波数チャネルＣＨ（１）による移動局分離信号のサブチャネル成分レベルを示す図である。
図２０は、図１８の移動局分離信号と図１９の移動局分離信号とを合成して得られる合成信号のサブキャリア成分レベルを示す図である。
図２１は、図２０の合成信号に補間を行った結果のサブキャリア成分レベルを示す図である。
【発明を実施するための最良の形態】
【０００７】
以下、本発明を実施するための最良の形態について図面を参照して説明する。
図１は、本発明の第１の実施の形態に係るＯＦＤＭ方式を採用する無線伝送システムの基地局に用いられる無線通信装置（基地局装置）１００の構成を示すブロック図である。また、図２は、同無線伝送システムの移動局に用いられる無線通信装置（移動局装置）２００の構成を示すブロック図である。なお、本実施の形態に係る無線伝送システムは、１ＯＦＤＭ時間内に最大Ｍ（Ｍ：自然数）台の移動局と同時に通信できるように構成されている。そして、図１には、本発明に関係する部分のみ、即ち、１ＯＦＤＭシンボル時間内に受信した最大Ｍ台の移動局から送信された信号の遅延プロファイルを移動局に対応させてそれぞれ推定するために必要となる部分のみを示している。また、図２も同様に、本願発明に関係する部分のみを示している。基地局装置１００及び移動局装置２００の他の部分については、公知のものが利用できる。
図１を参照すると、基地局装置１００は、ＧＩ（Ｇｕａｒｄ  Ｉｎｔｅｒｖａｌ）除去部１０１と、ＦＦＴ（Ｆａｓｔ  Ｆｏｕｒｉｅｒ  Ｔｒａｎｓｆｏｒｍａｔｉｏｎ）部１０２と、移動局分離部１０３と、遅延プロファイル推定回路１０４と、周波数チャネル信号生成部１０５と、ＩＦＦＴ（Ｉｎｖｅｒｓｅ  ＦＦＴ）部１０６と、ＧＩ付加部１０７とを含む。
また、図２を参照すると、移動局装置２００はＧＩ除去部２０１と、ＦＦＴ部２０２と、周波数チャネル信号抽出部２０３と、パイロット信号生成部２０４と、信号多重部２０５と、ＩＦＦＴ部２０６と、ＧＩ付加部２０７とを含む。
以下、図１及び図２を参照して、基地局装置１００と移動局装置２００の動作を説明する。
まず、基地局装置１００は、当該基地局装置１００と通信を始めた移動局装置２００に対し、公知の方法により、移動局識別番号を付与する。基地局装置１００は、最大Ｍ（Ｍ：自然数）台の移動局と同時に通信可能であり、各移動局に対して、互いに異なる移動局識別番号ＩＤ（１）〜ＩＤ（Ｍ）を付与する。
周波数チャネル信号生成部１０５は、周波数チャネル割当手段として機能する。即ち、周波数チャネル信号生成部１０５は、移動局識別番号ＩＤ（ｉ）（ｉ：１，２，・・・，Ｍ）が付与された移動局装置２００に対し、パイロット信号を送信する際に使用すべき周波数チャネルＣＨ（ｊ）（ｊ：Ｌ（≧Ｍ）以下の自然数であってｉと１対１に対応、Ｌ：基地局装置１００が利用可能な周波数チャネル数）を割り当てる。なお、周波数チャネルＣＨ（１）〜ＣＨ（Ｌ）の各々は、複数のサブキャリアにより構成される。
この周波数チャネルＣＨ（ｊ）の割り当ては、通信を開始した移動局装置２００に対し、未使用の周波数チャネルの中から一つ以上の周波数チャネルを選択して割り当てるようにすることができる。例えば、Ｌ＝Ｍであって、第１〜第Ｌの周波数チャネルをそれぞれ構成するサブキャリアが予め定められている場合には、識別番号ＩＤ（ｉ）が付与された移動局に周波数チャネルＣＨ（ｉ）を割り当てることができる。あるいは、通信中の全ての移動局装置２００に対して、所定の周期で、ランダムにあるいは所定の規則に従って選択した周波数チャネルを割り当てるようにしてもよい。さらには、未使用のサブキャリアの中から所定数のサブキャリアをランダムに選択することにより新たに構成した周波数チャネルを割り当てるようにしてもよい。
周波数チャネル信号生成部１０５は、また、各移動局装置２００に付与された識別番号ＩＤ（１）〜ＩＤ（Ｍ）と、割り当てられた周波数チャネルＣＨ（ｊ）との対応関係を表す周波数チャネルテーブルを内部に記憶している。そして、周波数チャネル信号生成部１０５は、周波数チャネルの割り当てが行われる毎にその周波数チャネルテーブルを更新する。周波数チャネル信号生成部１０５は、さらに、周波数チャネルテーブルの内容を表す信号（チャネル情報）を周波数チャネル信号ＳＢＣＨとして所定の周期でＩＦＦＴ部１０６、及び、移動局分離部１０３へ出力する。
ＩＦＦＴ部１０６は、周波数チャネル信号生成部１０５からの周波数チャネル信号ＳＢＣＨを逆フーリエ変換し、周波数チャネルＩＦＦＴ信号ＳＢＩＦＦＴとして、ＧＩ付加部１０７へ出力する。
ＧＩ付加部１０７は、ＩＦＦＴ部１０６からの周波数ＩＦＦＴ信号ＳＢＩＦＦＴにガードインターバルを付加し、基地局送信信号ＳＢＴＸとして出力する。基地局送信信号ＳＢＴＸは、図示しない送信部より外部へ無線送信される。このように、ＩＦＦＴ部１０６とＧＩ付加部１０７は、図示しない送信部とともに周波数チャネル信号送信手段として機能する。
一方、移動局装置２００は、図示しない受信部により基地局送信信号ＳＢＴＸを受信する。この受信部と、ＧＩ除去部２０１、ＦＦＴ部２０２及び周波数チャネル信号抽出部２０３が、周波数チャネル特定手段として機能する。受信部が受信した基地局送信信号ＳＢＴＸは、ＧＩ除去部２０１に入力される。
ＧＩ除去部２０１は、入力された基地局送信信号ＳＢＴＸからガードインターバルを削除し、移動局ＧＩ削除信号ＳＭＧＩＤとして、ＦＦＴ部２０２へ出力する。
ＦＦＴ部２０２は、移動局ＧＩ削除信号ＳＭＧＩＤをフーリエ変換し、移動局ＦＦＴ信号ＳＭＦＦＴとして、周波数チャネル信号抽出部２０３へ出力する。
周波数チャネル信号抽出部２０３は、ＦＦＴ部２０２からの移動局ＦＦＴ信号ＳＭＦＦＴ（周波数チャネル信号ＳＢＣＨに等しい）から、当該移動局装置２００に付与された識別番号ＩＤ（ｉ）に対応する周波数チャネルＣＨ（ｊ）の情報を抽出し、移動局周波数チャネル情報ＳＭＣＨとして、信号多重部２０５へ出力する。
パイロット信号生成部２０４は、パイロット信号ＳＭＰＩを生成し、信号多重部２０５へ出力する。
信号多重部２０５は、周波数チャネル信号抽出部２０３からの移動局周波数チャネル情報ＳＭＣＨと、パイロット信号生成部２０４からのパイロット信号ＳＭＰＩとを受ける。そして、信号多重部２０５は、移動局周波数チャネル情報ＳＭＣＨが示す周波数チャネルＣＨ（ｊ）に、パイロット信号ＳＭＰＩを多重し、移動局多重信号ＳＭＭＸとして、ＩＦＦＴ部２０６へ出力する。このように、信号多重部２０５は、パイロット信号多重手段として機能する。
ＩＦＦＴ部２０６は、信号多重部２０５からの移動局多重信号ＳＭＭＸを逆フーリエ変換し、移動局ＩＦＦＴ信号ＳＭＩＦＦＴを出力する。
ＧＩ付加部２０７は、移動局ＩＦＦＴ信号ＳＭＩＦＦＴにガードインターバルを付加し、移動局送信信号ＳＭＴＸとして出力する。
ＩＦＦＴ部２０６及びＧＩ付加部２０７は、送信信号生成部として機能する。
ＧＩ付加部２０７から出力された移動局送信信号ＳＭＴＸは、図示しない送信部より外部へ無線送信される。
基地局装置１００は、移動局装置２００から送信された移動局送信信号ＳＭＴＸを受信信号ＳＢＲＸとして受信する。このとき、複数の移動局装置２００が存在するならば、受信信号ＳＢＲＸには、それらの移動局装置から送信された複数の移動局送信信号ＳＭＴＸが含まれている。即ち、基地局装置１００は、最大でＭ台（識別番号ＩＤ（１）〜ＩＤ（Ｍ））の移動局装置２００からの移動局送信信号ＳＭＴＸを同時（１ＯＦＭＤシンボル時間内）に受信する。
基地局装置１００のＧＩ除去部１０１は、受信信号ＳＢＲＸからガードインターバルを削除し、基地局ＧＩ削除信号ＳＢＧＩＤとしてＦＦＴ部１０２へ出力する。
ＦＦＴ部１０２は、ＧＩ削除部１０１からの基地局ＧＩ削除信号ＳＢＧＩＤをフーリエ変換し、基地局ＦＦＴ信号ＳＢＦＦＴとして移動局分離部１０３へ出力する。このＦＦＴ部１０２は、ＧＩ除去部１０１とともに信号変換手段を構成する。
移動局分離部１０３には、前述したように、周波数チャネル信号生成部１０５からの周波数チャネル信号ＳＢＣＨが入力されている。移動局分離部１０３は、ＦＦＴ部１０２から基地局ＦＦＴ信号ＳＢＦＦＴが入力されると、１ＲＴＴ（Ｒｏｕｎｄ  Ｔｒｉｐ  Ｔｉｍｅ）前に生成・供給された周波数チャネル信号ＳＢＣＨを用いて、基地局ＦＦＴ信号ＳＢＦＦＴを各移動局に対応させて分離する。即ち、移動局分離部１０３は、移動局識別番号ＩＤ（ｉ）に対応する周波数チャネルＣＨ（ｊ）に含まれるサブキャリア成分を基地局ＦＦＴ信号ＳＢＦＦＴから分離し、移動局分離信号ＳＢＤＭＸ（ｉ）として、第ｉの遅延プロファイル推定回路１０４−ｉへ出力する。このように移動局分離部１０３は、移動局信号分離手段として機能する。
遅延プロファイル推定回路１０４−ｉは、遅延プロファイル生成手段として動作するために、図３に示すようにＩＦＦＴ部３０１を含んでいる。ＩＦＦＴ部３０１は、移動局分離部１０３からの移動局分離信号ＳＤＢＭＸ（ｉ）を逆フーリエ変換し、遅延プロファイル推定信号ＳＢＤＰ（ｉ）として出力する。
ここで、基地局装置１００が利用可能な周波数チャネルＣＨ（１）〜ＣＨ（Ｌ）が、第１〜第Ｎ（Ｎ：Ｍの倍数，Ｌ＝Ｍ）のＮ個のサブキャリアにより実現されるものとして、周波数チャネルＣＨ（ｊ）が、第｛ｊ＋Ｍ×（ｘ−１）｝（ｘ：１，２，・・・，Ｎ／Ｍ）の計Ｎ／Ｍ個のサブキャリアを含むものとする。例えば、Ｍ＝３ならば、周波数チャネルＣＨ（１）〜ＣＨ（３）は、図４に示すようになる。即ち、この場合は、所定の周期で配置されたＮ個のサブキャリアが、２サブキャリアおきに各周波数チャネルＣＨ（１）〜ＣＨ（３）に割り振られる。このとき、識別番号ＩＤ（１）が付与された移動局装置２００に周波数チャネルＣＨ（１）が割り当てられているとすると（ｉ＝ｊ）、対応する遅延プロファイル推定回路１０４−１には、図５に示すように、サブキャリアｓ１，ｓ４，・・・，ｓ１０，・・・からなる周波数チャネルＣＨ（１）の信号が移動局分離信号ＳＤＢＭＸ（１）として入力される。遅延プロファイル推定回路１０４−１のＩＦＦＴ部３０１は、この移動局分離信号ＳＤＢＭＸ（１）を逆フーリエ変換して、遅延プロファイル推定信号ＳＢＤＰ（１）を出力する。
ＩＦＦＴ部３０１に入力される移動局分離信号ＳＤＢＭＸ（ｉ）が、上記のように周期性を有している場合には、得られる遅延プロファイル推定信号ＳＢＤＰ（ｉ）にも周期性が現れる。つまり、この遅延プロファイル推定信号ＳＢＤＰ（ｉ）は、正確な遅延プロファイルを示すピークのほかに実際の伝播路とは関係の無い２つのピークを含む。従って、ＩＦＦＴ部３０１から出力された遅延プロファイル推定信号ＳＢＤＰ（ｉ）をそのまま用いたのでは正確な受信タイミングを特定できない。そこで、遅延プロファイル推定回路１０４−ｉの出力側で、遅延プロファイル推定信号ＳＢＤＰ（ｉ）の最大振幅（最大受信電力）のタイミングを選択する選択回路を設けるなどして、正確な受信タイミングを特定するようにする。
以上のようにして、本実施の形態に係る無線伝送システムは、受信信号の遅延プロフィルを各移動局毎に独立して推定することができる。
次に、図６乃至図１２を参照して、本発明の第２の実施の形態に係る無線伝送システムについて説明する。
本実施の形態に係る無線伝送システムが第１の実施の形態に係る無線伝送システムと異なる点は、遅延プロファイル推定回路１０４−ｉが、図６に示すように受信信号合成部４０１とＩＦＦＴ部４０２とで構成されている点である。
受信信号合成部４０１は、順次入力される移動局分離信号ＳＢＤＭＸ（ｉ）をＴ（Ｔ：２以上の整数）シンボル分づつ合成する。即ち、受信信号合成部４０１は、Ｔシンボル分の移動局分離信号ＳＢＤＭＸ（ｉ）が入力される毎に、新たな１ＯＦＤＭシンボル分の合成信号ＳＢＰＭ（ｉ）を生成する。
ＩＦＦＴ部４０２は、合成信号ＳＢＰＭ（ｉ）を逆フーリエ変換し、遅延プロファイル推定信号ＳＢＤＰ（ｉ）として出力する。
次に、Ｔ＝２として、受信信号合成部４０１の動作についてより詳細に説明する。ここでは、基地局装置１００が利用可能な周波数チャネルＣＨ（１）〜ＣＨ（Ｌ）が、第１〜第Ｎ（Ｎ：Ｍの倍数、Ｍ＝Ｌ）のＮ個のサブキャリアにより実現されるものとして、周波数チャネルＣＨ（ｊ）が、第｛Ｎ／Ｍ×（ｊ−１）＋１｝から第Ｎ／Ｍ×ｊまでの計Ｎ／Ｍ個のサブキャリアを含むものとする。例えば、Ｎ／Ｍ＝４ならば、周波数チャネルＣＨ（１）〜ＣＨ（Ｌ）は、図７に示すようになる。即ち、この場合、所定の周期で配置されたＮ個のサブキャリアが、隣接する４個ずつに分けられ、夫々周波数チャネルＣＨ（１）〜ＣＨ（Ｌ）に割り振られる。
ここで、識別番号ＩＤ（ｉ）が付与された移動局装置２００に割り当てられる周波数チャネルＣＨ（ｊ）は、周期的あるいは非周期的に変更される場合がある。それゆえ、連続する２シンボル分（Ｔ＝２）の移動局分離信号ＳＢＤＭＸ（ｉ）であっても、異なるサブキャリアにより送信されてくる場合がある。以下、識別番号ＩＤ（ｉ）が付与された移動局装置２００が使用した周波数チャネルが同一の場合と、異なる場合とに分けて説明する。
識別番号ＩＤ（ｉ）が付与された移動局装置２００が、図７の周波数チャネルＣＨ（１）のみを使用して２シンボル分の送信信号を連続して送信したとすると、その移動局装置２００に対応する遅延プロファイル推定回路１０４−ｉの受信信号合成部４０１には、例えば、図８に示すサブキャリアｓ１〜ｓ４成分を持つ第１の移動局分離信号ＳＢＤＭＸ（ｉ）と図９に示すサブキャリアｓ１〜ｓ４成分を持つ第２の移動局分離信号ＳＢＤＭＸ（ｉ）とが順次入力される。このように同一のサブキャリアｓ１〜ｓ４成分からなる第１及び第２の移動局分離信号ＳＢＤＭＸ（ｉ）を合成する場合、受信信号合成部４０１は、これら第１及び第２の移動局分離信号ＳＢＤＭＸ（ｉ）のサブキャリアＳ１〜Ｓ４成分をそれぞれ同相平均する。そして、得られた信号を、サブキャリアｓ１〜ｓ４に多重して合成信号ＢＰＭ（ｉ）を得る。合成信号ＳＢＰＭ（ｉ）は、図８及び図９のサブキャリアｓ１〜ｓ４成分を相加平均した図１０に示すサブキャリアｓ１〜ｓ４成分を持つ。
一方、識別番号ＩＤ（ｉ）が付与された移動局装置２００が、図７の周波数チャネルＣＨ（１）及びＣＨ（２）を順次使用して２シンボル分の送信信号を送信したとすると、対応する遅延プロファイル推定回路１０４−ｉの受信信号合成部４０１には、例えば、図８に示すサブキャリアｓ１〜ｓ４成分を持つ第１の移動局分離信号ＳＢＤＭＸ（ｉ）と図１１に示すサブキャリアｓ５〜ｓ８成分を持つ第２の移動局分離信号ＳＢＤＭＸ（ｉ）とが順次入力される。この場合、受信信号合成部４０１は、これら第１及び第２の移動局分離信号ＳＢＤＭＸ（ｉ）のサブキャリア成分ｓ１〜ｓ４及びｓ５〜ｓ８をそのままサブキャリアｓ１〜ｓ８に多重して合成信号ＳＢＰＭ（ｉ）とする。この合成信号ＳＢＰＭ（ｉ）は、図８のサブキャリアｓ１〜ｓ４の成分と図１１のサブキャリア成分ｓ５〜ｓ８の成分とを加算した図１２に示すサブキャリア成分ｓ１〜ｓ８を持つ。
ＩＦＦＴ部４０２は、２シンボル分の送信信号が同一のチャネルにより送信されたのか、異なるチャネルにより送信されたのかに関係なく、合成信号ＳＢＰＭ（ｉ）に対して上述した逆フーリエ変換を行って、遅延プロファイル推定信号ＳＢＤＭＸ（ｉ）を出力する。
本発明の実施の形態に係る無線伝送システムでは、各遅延プロファイル推定回路１０４−ｉにおいて、複数シンボル分の移動分離信号ＳＢＤＭＸ（ｉ）を合成した合成信号ＳＢＰＭ（ｉ）を利用して遅延プロファイルを推定するようにしたことで、その推定精度を向上させることができる。
次に、図１３及び図１４を参照して、本発明の第３の実施の形態に係る無線伝送システムについて説明する。
本実施の形態に係る無線伝送システムが第１の実施の形態に係る無線伝送システムと異なる点は、遅延プロファイル推定回路１０４−ｉが、図１３に示すように補間部５０１とＩＦＦＴ部４０２とで構成されている点である。
本実施の形態においても、移動局装置２００に割り当てられる周波数チャネルは、第１の実施の形態と同様、周波数チャネルＣＨ（ｊ）が、第｛ｊ＋Ｍ×（ｘ−１）｝（ｘ：１，２，・・・，Ｎ／Ｍ）の計Ｎ／Ｍ個のサブキャリアを含むものとする。
補間部５０１は、移動局分離部１０３からの移動局分離信号ＳＢＤＭＸ（ｉ）が入力されると、そこに含まれるサブキャリア成分を用いて、その間のサブキャリアの成分を線形補間する。そして、補間部５０１は、補間されたサブキャリア成分を含む移動局補間信号ＳＢＩＤＭＸ（ｉ）を生成してＩＦＦＴ部５０２へ出力する。
例えば、識別番号ＩＤ（ｉ）が付与された移動局に割り当てられた周波数チャネルが図４に示す周波数チャネルＣＨ（１）の場合、即ち、移動局分離信号ＳＢＤＭＸ（ｉ）が図５に示すようなサブキャリアｓ１，ｓ４，ｓ７及びｓ１０成分を含んでいる場合、これらのサブキャリア成分を用いた線形補間により、図１４に示すようなサブキャリアｓ２，ｓ３，ｓ５，ｓ６，ｓ８及びｓ９成分の値を求める。そして、図１４に示すようなサブキャリア成分を持つ移動局補間信号ＳＢＩＤＭＸ（ｉ）を生成してＩＦＦＴ部５０２へ出力する。
ＩＦＦＴ部５０２は、補間部５０１からの移動局補間信号ＳＢＩＤＭＸ（ｉ）を逆フーリエ変換し、遅延プロファイル推定信号ＳＢＤＰ（ｉ）として出力する。
本実施の形態に係る無線伝送システムでは、移動局分離信号ＳＢＤＭＸ（ｉ）に含まれるサブキャリア成分を用い、それらの間に位置するサブキャリアの成分として線形補間により求めた値を代入するようにしたことで、ＩＦＦＴ部５０２に入力される信号の周期性を取り除くことができる。それゆえ、遅延プロファイル推定信号ＳＢＤＰ（ｉ）には、実際の伝播路と関係の無いピークの出現がなく、第１の実施の形態に係る無線伝送システムで必要とされた選択回路等は不要である。
次に、図１６乃至図２１を参照して、本発明の第４の実施の形態について説明する。
本実施の形態に係る無線伝送システムが第１の実施の形態に係る無線伝送システムと異なる点は、遅延プロファイル推定回路１０４−ｉが、図１５に示すように受信信号合成部６０１と、補間部６０２と、ＩＦＦＴ部６０３とで構成されている点である。簡単に言うと、本実施の形態に係る無線伝送スシステムは、第２の実施の形態に係るシステムと第３の実施の形態に係るシステムとを組み合わせた構成となっている。
受信信号合成部６０１は、順次入力される移動局分離信号ＳＢＤＭＸ（ｉ）をＴ（Ｔ：２以上の整数）シンボル分づつ合成する。即ち、受信信号合成部６０１は、Ｔシンボル分の移動局分離信号ＳＢＤＭＸ（ｉ）が入力される毎に、新たな１ＯＦＤＭシンボル分の合成信号ＳＢＰＭ（ｉ）を生成する。
また、補間部６０２は、合成信号ＳＢＰＭ（ｉ）に含まれているサブキャリア成分を利用して、その間のサブキャリアの成分を線形補間する。そして、補間部６０２は、補間されたサブキャリア成分を含む移動局補間信号ＳＢＩＤＭＸ（ｉ）を生成してＩＦＦＴ部６０３へ出力する。
ＩＦＦＴ部６０３は、補間部６０２からの移動局補間信号ＳＢＩＤＭＸ（ｉ）を逆フーリエ変換し、遅延プロファイル推定信号ＳＢＤＰ（ｉ）を出力する。
以下、各移動局に割り当てられる周波数チャネルが周期的に変更される場合であって、Ｔ＝２の場合について、受信信号合成部６０１と補間部６０２の動作を詳細に説明する。
ここでは、識別番号ＩＤ（ｉ）が付与された移動局装置２００に割り当てられる周波数チャネルＣＨ（ｊ）が、第｛ｊ＋２Ｍ×（ｘ−１）｝（ｘ：１，２，・・・，Ｎ／２Ｍ、Ｎ：Ｍの偶数倍）の計Ｎ／２Ｍ個のサブキャリアを含む場合と、第｛ｊ＋Ｍ×（２ｘ−１）｝（ｘ：１，２，・・・，Ｎ／２Ｍ）の計Ｎ／２Ｍ個のサブキャリアを含む場合とを交互に繰り返すものとする。この場合、各周波数チャネルＣＨ（１）〜ＣＨ（Ｌ）は、例えば、図１６に示すサブキャリア成分を持つ場合と、図１７に示すサブキャリア成分を持つ場合とを交互に繰り返すことになる。
さて、周波数チャネルＣＨ（１）が割り当てられている移動局装置２００に対応する遅延プロファイル推定回路１０４−ｉに、図１８及び図１９に示すサブキャリア成分を夫々持つ移動局分離信号ＳＢＤＭＸ（ｉ）が第１ＯＦＤＭシンボル及び第２ＯＦＤＭシンボルとして順次入力されると、受信信号合成部６０１はこれらを合成して合成信号ＳＢＰＭ（ｉ）を出力する。合成信号ＳＢＰＭ（ｉ）は、第１ＯＦＤＭシンボルのサブキャリアｓ１及びｓ７成分と、第２ＯＦＤＭシンボルのサブキャリアｓ４及びｓ１０成分とを、サブキャリアｓ１、ｓ４，ｓ７及びｓ１０に夫々多重して得られ、図２０に示すようなサブキャリア成分を有する。
補間部６０２は、受信信号合成部６０１からの合成信号ＳＢＰＭ（ｉ）に含まれるサブキャリアｓ１，ｓ４，ｓ７及びｓ１０成分を利用して、これらの間のサブキャリアｓ２，ｓ３，ｓ５，ｓ６，ｓ８及びｓ９の成分を線形補間する。そして、図２１に示すようなサブキャリア成分を持つ移動局補間信号ＳＢＩＤＭＸ（ｉ）を出力する。
ＩＦＦＴ部６０３は、前述したとおり、合成信号ＳＢＩＤＭＸ（ｉ）を逆フーリエ変換して遅延プロファイル推定信号ＳＢＤＰ（ｉ）を出力する。
本実施の形態では、移動局分離信号の合成と補間とを行うので、さらに遅延プロファイルの推定精度を向上させることができる。
以上本発明についていくつかの実施の形態に即して説明したが、本発明は、ハードウエアのみならず、基地局装置の動作を電子計算機に実行させるソフトウエア（プログラム）により実現することもできる。
【図１】
0004985942.tif 000002
【図２】
0004985942.tif 000003
【図３】
0004985942.tif 000004
【図４】
0004985942.tif 000005
【図５】
0004985942.tif 000006
【図６】
0004985942.tif 000007
【図７】
0004985942.tif 000008
【図８】
0004985942.tif 000009
【図９】
0004985942.tif 000010
【図１０】
0004985942.tif 000011
【図１１】
0004985942.tif 000012
【図１２】
0004985942.tif 000013
【図１３】
0004985942.tif 000014
【図１４】
0004985942.tif 000015
【図１５】
0004985942.tif 000016
【図１６】
0004985942.tif 000017
【図１７】
0004985942.tif 000018
【図１８】
0004985942.tif 000019
【図１９】
0004985942.tif 000020
【図２０】
0004985942.tif 000021
【図２１】
0004985942.tif 000022